(57)【要約】【課題】前面構成部材と開閉板とに囲まれた空間を容易に開くことが可能な遊技媒体式弾球遊技機の提供を目的とする。【解決手段】前面構成部材１００が開閉板９７にヒンジ部３０を中心にして回動可能に備えられたので、従来に比べて容易に前面構成部材１００を開くことができる。これにより、前面構成部材１００と開閉板９７とで囲まれた空間に配設されたコイン通路盤７１や球供給路６０で不具合が生じた場合や、スピーカ５９Ｓ、ＬＥＤ７７等のメンテナンスを行う場合に、迅速に対処することが可能になる。また、遊技球を案内する球供給路６０が開閉板９７の前面９７Ｆ側に設けられたので、前面構成部材１００と開閉板９７とで囲まれた空間が有効利用されている。さらに、球供給路６０は、カバー体６２をベース体６１に対して回動操作することで開放できるので、球供給路６０内部に遊技球が詰まった場合でも容易に取り出すことができる。【選択図】　図４
2004081272.tif 000002
【特許請求の範囲】
【請求項１】
遊技球が前面を流下する遊技盤と、
前記遊技盤に向けて遊技球を発射するための発射手段と、
前記遊技盤が取り付けられた本体枠と、
前記本体枠の前面下方側に開閉可能に取り付けられた開閉板と、
前記開閉板の前面に取り付けられた前面構成部材と、
前記前面構成部材に形成されて、前記遊技球と異なる遊技媒体を投入するための遊技媒体投入部とを備え、
前記遊技媒体が前記遊技媒体投入部に投入されたことに起因して、前記発射手段による前記遊技盤への遊技球の発射を許容する弾球遊技機において、
前記前面構成部材と前記開閉板とは、上下方向又は左右方向の何れかの一端に設けたヒンジ部により開閉可能に連結されかつ閉鎖状態保持手段により閉鎖状態に保持されたことを特徴とする弾球遊技機。
【請求項２】
前記閉鎖状態保持手段は、前記開閉板と前記前面構成部材との何れか一方側に設けた係合部と他方側に設けた被係合部とからなることを特徴とする請求項１に記載の弾球遊技機。
【請求項３】
前記閉鎖状態保持手段は、前記前面構成部材の縁部の一部を延長してなる係止突片と、
前記開閉板に貫通形成されて、前記前面構成部材を閉鎖した状態で前記係止突片が突入する突入孔と、
前記係止突片を前記突入孔内に抜け止め状態に係合すると共に、前記開閉板の後面で前記係合を解除操作可能なロック部とからなることを特徴とする請求項１に記載の弾球遊技機。
【請求項４】
前記ロック部は、前記係止突片のうち前記突入孔を通過して前記開閉板の後面側に突出した部分に貫通形成されたロック孔と、
前記開閉板の後面に設けられて、前記ロック孔に嵌合されたロック位置と、前記ロック孔から離脱したロック解除位置との間でスライド操作可能なロック棒とを備えてなることを特徴とする請求項３に記載の弾球遊技機。
【請求項５】
前記ロック棒には、前記ロック棒のスライド方向と交差する方向に湾曲形成されて、前記開閉板の後面に寝かせた状態と起こした状態とに回動可能なロック解除操作部が備えられ、
前記開閉板の後面の一部と前記ロック解除操作部との間に弾性部材を取り付けて、前記ロック棒をロック位置に付勢しかつ、前記ロック解除操作部を前記開閉板の後面に寝かせた状態に付勢したことを特徴とする請求項４に記載の弾球遊技機。
【請求項６】
前記ヒンジ部は、前記前面構成部材の下端部に配置されたことを特徴とする請求項１乃至５の何れかに記載の弾球遊技機。
【請求項７】
前記前面構成部材の下端面は、前記開閉板から離れるに従って上方に向かうように傾斜したことを特徴とする請求項６に記載の弾球遊技機。
【請求項８】
前記前面構成部材と前記開閉板とによって囲まれた空間内には、前記遊技媒体投入部に投入された遊技媒体を前記本体枠側に案内する遊技媒体通路を備えたことを特徴とする請求項１乃至７に記載の弾球遊技機。
【請求項９】
前記遊技媒体通路の少なくとも一部は、遊技媒体が通過可能な隙間をあけて重ね合わされた２つの通路構成部材で構成され、
一方の前記通路構成部材は、回動操作可能に設けられ、その通路構成部材を常には他方の前記通路構成部材に重ね合わせた状態に付勢する遊技媒体通路構成付勢手段を備えたことを特徴とする請求項８に記載の弾球遊技機。
【請求項１０】
前記前面構成部材が開放状態でその開放側に位置した一方の通路構成部材は、透明又は半透明な部材で構成されたことを特徴とする請求項９に記載の弾球遊技機。
【請求項１１】
前記前面構成部材の前面に押圧操作部を設け、その押圧操作部の押圧操作により、前記一方の通路構成部材が回動するように構成したことを特徴とする請求項９又は１０に記載の弾球遊技機。
【請求項１２】
前記前面構成部材と前記開閉板とによって囲まれた空間内には、前記遊技媒体投入部に投入された遊技媒体を検出する遊技媒体検出手段を設けたことを特徴とする請求項１乃至１１の何れかに記載の弾球遊技機。
【請求項１３】
前記遊技媒体検出手段による前記遊技媒体の検出を起因として前記遊技盤への遊技球の発射が許容されるように構成されたことを特徴とする請求項１２に記載の弾球遊技機。
【請求項１４】
前記前面構成部材と前記開閉板とによって囲まれた空間内には、発光手段が収容され、
前記前面構成部材の少なくとも一部は、前記発光手段からの光が透過可能な透光部材で構成されたことを特徴とする請求項１乃至１３の何れかに記載の弾球遊技機。
【請求項１５】
前記前面構成部材を透明又は半透明な部材で構成して、前記前面構成部材と前記開閉板とによって囲まれた空間内を透視可能としたことを特徴とする請求項１乃至１４に記載の弾球遊技機。
【請求項１６】
前記前面構成部材と前記開閉板とによって囲まれた空間内に、音声発声手段を収容したことを特徴とする請求項１乃至１５の何れかに記載の弾球遊技機。
【請求項１７】
前記開閉板の２箇所に第１と第２の開口を貫通形成し、
前記開閉板の後面のうち前記第１の開口に臨んだ位置に、前記発射手段のうち遊技球を弾き出す発射駆動部が配置される一方、前記第２の開口に臨んだ位置に、遊技球の配給経路が配置され、
前記開閉板の前面には、前記第１と第２の開口の間を連絡して、前記配給経路を通過した遊技球を前記発射駆動部に供給する球供給路が形成されたことを特徴とする請求項１乃至１６の何れに記載の弾球遊技機。
【請求項１８】
前記球供給路は、前記開閉板に固定されたベース体と、前記ベース体に対して回動可能に設けられたカバー体とで構成されると共に、前記カバー体を閉止した状態に係止するカバー係止機構を備えたことを特徴とする請求項１７に記載の弾球遊技機。
【発明の詳細な説明】
【０００１】
【発明の属する技術分野】
本発明は、遊技盤に向けて遊技球を発射することが可能な弾球遊技機に関する。
【０００２】
【従来の技術】
従来、この種の弾球遊技機として、例えば、遊技媒体式アレンジボール等が知られている。この遊技媒体式アレンジボールでは、遊技媒体としてのコインを投入すると、所定数の遊技球が付与され、これら遊技球を遊技盤に向けて発射して遊技を楽しむことができる。上記した遊技媒体式アレンジボールのような従来の弾球遊技機では、遊技盤が取り付けられた本体枠の前面下方側に、開閉板が開閉可能に取り付けられており、その開閉板の前面に取り付けた前面構成部材に、コイン投入部が形成されていて、ここにコインを投入することができるようになっていた。
【０００３】
【発明が解決しようとする課題】
しかしながら、上述した従来の弾球遊技機では、開閉板を貫通した複数のビスにて前面構成部材を固定した構造になっていた。このため、前面構成部材と開閉板とに囲まれた空間内で遊技球やコインが詰まった場合や、メンテナンスを行う場合に、それらビスを外す作業を要し迅速な対応を行うことが困難であった。
【０００４】
本発明は上記事情に鑑みてなされたもので、前面構成部材と開閉板とに囲まれた空間を容易に開くことが可能な弾球遊技機の提供を目的とする。
【０００５】
【課題を解決するための手段】
上記目的を達成するためになされた請求項１の発明に係る弾球遊技機は、遊技球が前面を流下する遊技盤と、遊技盤に向けて遊技球を発射するための発射手段と、遊技盤が取り付けられた本体枠と、本体枠の前面下方側に開閉可能に取り付けられた開閉板と、開閉板の前面に取り付けられた前面構成部材と、前面構成部材に形成されて、遊技球と異なる遊技媒体を投入するための遊技媒体投入部とを備え、遊技媒体が遊技媒体投入部に投入されたことに起因して、発射手段による遊技盤への遊技球の発射を許容する弾球遊技機において、前面構成部材と開閉板とは、上下方向又は左右方向の何れかの一端に設けたヒンジ部により開閉可能に連結されかつ閉鎖状態保持手段により閉鎖状態に保持されたところに特徴を有する。
【０００６】
請求項２の発明は、請求項１に記載の弾球遊技機において、閉鎖状態保持手段は、開閉板と前面構成部材との何れか一方側に設けた係合部と他方側に設けた被係合部とからなるところに特徴を有する。
【０００７】
請求項３の発明は、請求項１に記載の弾球遊技機において、閉鎖状態保持手段は、前面構成部材の縁部の一部を延長してなる係止突片と、開閉板に貫通形成されて、前面構成部材を閉鎖した状態で係止突片が突入する突入孔と、
係止突片を突入孔内に抜け止め状態に係合すると共に、開閉板の後面で係合を解除操作可能なロック部とからなるところに特徴を有する。
【０００８】
請求項４の発明は、請求項３に記載の弾球遊技機において、ロック部は、係止突片のうち突入孔を通過して開閉板の後面側に突出した部分に貫通形成されたロック孔と、開閉板の後面に設けられて、ロック孔に嵌合されたロック位置と、ロック孔から離脱したロック解除位置との間でスライド操作可能なロック棒とを備えてなるところに特徴を有する。
【０００９】
請求項５の発明は、請求項４に記載の弾球遊技機において、ロック棒には、ロック棒のスライド方向と交差する方向に湾曲形成されて、開閉板の後面に寝かせた状態と起こした状態とに回動可能なロック解除操作部が備えられ、
開閉板の後面の一部とロック解除操作部との間に弾性部材を取り付けて、ロック棒をロック位置に付勢しかつ、ロック解除操作部を開閉板の後面に寝かせた状態に付勢したところに特徴を有する。
【００１０】
請求項６の発明は、請求項１乃至５の何れかに記載の弾球遊技機において、ヒンジ部は、前面構成部材の下端部に配置されたところに特徴を有する。
【００１１】
請求項７の発明は、請求項６に記載の弾球遊技機において、前面構成部材の下端面は、開閉板から離れるに従って上方に向かうように傾斜したところに特徴を有する。
【００１２】
請求項８の発明は、請求項１乃至７に記載の弾球遊技機において、前面構成部材と開閉板とによって囲まれた空間内には、遊技媒体投入部に投入された遊技媒体を本体枠側に案内する遊技媒体通路を備えたところに特徴を有する。
【００１３】
請求項９の発明は、請求項８に記載の弾球遊技機において、遊技媒体通路の少なくとも一部は、遊技媒体が通過可能な隙間をあけて重ね合わされた２つの通路構成部材で構成され、一方の通路構成部材は、回動操作可能に設けられ、その通路構成部材を常には他方の通路構成部材に重ね合わせた状態に付勢する遊技媒体通路構成付勢手段を備えたところに特徴を有する。
【００１４】
請求項１０の発明は、請求項９に記載の弾球遊技機において、前面構成部材が開放状態でその開放側に位置した一方の通路構成部材は、透明又は半透明な部材で構成されたところに特徴を有する。
【００１５】
請求項１１の発明は、請求項９又は１０に記載の弾球遊技機において、前面構成部材の前面に押圧操作部を設け、その押圧操作部の押圧操作により一方の通路構成部材が回動するように構成したところに特徴を有する。
【００１６】
請求項１２の発明は、請求項１乃至１１の何れかに記載の弾球遊技機において、前面構成部材と開閉板とによって囲まれた空間内には、遊技媒体投入部に投入された遊技媒体を検出する遊技媒体検出手段を設けたところに特徴を有する。
【００１７】
請求項１３の発明は、請求項１２に記載の弾球遊技機において、遊技媒体検出手段による遊技開始媒体の検出を起因として遊技盤への遊技球の発射が許容されるように構成されたところに特徴を有する。
【００１８】
請求項１４の発明は、請求項１乃至１３の何れかに記載の弾球遊技機において、前面構成部材と開閉板とによって囲まれた空間内には、発光手段が収容され、前面構成部材の少なくとも一部は、発光手段からの光が透過可能な透光部材で構成されたところに特徴を有する。
【００１９】
請求項１５の発明は、請求項１乃至１４に記載の弾球遊技機において、前面構成部材を透明又は半透明な部材で構成して、前面構成部材と開閉板とによって囲まれた空間内を透視可能としたところに特徴を有する。
【００２０】
請求項１６の発明は、請求項１乃至１５の何れかに記載の弾球遊技機において、前面構成部材と開閉板とによって囲まれた空間内に、音声発声手段を収容したところに特徴を有する。
【００２１】
請求項１７の発明は、請求項１乃至１６の何れに記載の弾球遊技機において、開閉板の２箇所に第１と第２の開口を貫通形成し、開閉板の後面のうち第１の開口に臨んだ位置に、発射手段のうち遊技球を弾き出す発射駆動部が配置される一方、第２の開口に臨んだ位置に、遊技球の配給経路が配置され、開閉板の前面には、第１と第２の開口の間を連絡して、配給経路を通過した遊技球を発射駆動部に供給する球供給路が形成されたところに特徴を有する。
【００２２】
請求項１８の発明は、請求項１７に記載の弾球遊技機において、球供給路は、開閉板に固定されたベース体と、ベース体に対して回動可能に設けられたカバー体とで構成されると共に、カバー体を閉止した状態に係止するカバー係止機構を備えたところに特徴を有する。
【００２３】
【発明の作用及び効果】
＜請求項１の発明＞
請求項１の弾球遊技機では、閉鎖状態保持手段による保持を解除すれば、前面構成部材がヒンジ部を中心にして回動可能になるので、従来に比べて容易に前面構成部材を開くことができる。これにより、前面構成部材と開閉板とに囲まれた空間の内部で不具合が生じた場合や、メンテナンスを行う場合に、迅速に対処することが可能になる。
【００２４】
＜請求項２の発明＞
閉鎖状態保持手段は、開閉板と前面構成部材との何れか一方側に設けた係合部と他方側に設けた被係合部とから構成することができる。
【００２５】
＜請求項３の発明＞
請求項３の構成によれば、本体枠から開閉板を開き、開閉板の後面でロック部の係合を解除操作すれば、前面構成部材から延長された係止突片が、開閉板に形成した突入孔から抜くことが可能になり、前面構成部材を開くことができる。この構成により、開閉板を開くことが許可された者だけが、前面構成部材を開くことが可能になる。
【００２６】
＜請求項４の発明＞
請求項４の構成のロック部では、常には、係止突片のロック孔にロック棒が嵌合されて閂状態になり、係止突片が突入孔内に抜け止めされる。そして、ロック棒をロック孔から引き抜くことで、係止突片を突入孔から抜くことが可能になり、前面構成部材を開くことができる。
【００２７】
＜請求項５の発明＞
請求項５の構成では、ロック解除操作部を開閉板の後面から起せば、ロック棒のスライド操作が容易になる。そして、ロック棒から手を離すと、弾性部材の付勢力によってロック棒がロック位置に戻ると共にロック解除操作部が開閉板の後面に寝かせた状態になる。これにより、ロックのかけ忘れを防止すると共に、ロック解除操作部が寝かされて邪魔になることを防止することができる。
【００２８】
＜請求項６の発明＞
請求項６の弾球遊技機は、ヒンジ部は、前面構成部材の下端部に配置されたから、前面構成部材を開くと重力によって前面構成部材が開いた状態に保持され、前面構成部材内のメンテナンス作業の効率が向上する。
【００２９】
＜請求項７の発明＞
請求項７の弾球遊技機では、前面構成部材の下端面が、開閉板から離れるに従って上方に向かうように傾斜しているので、下端面が水平になっているものに比べて、前面構成部材を大きく開くことができる。これにより、前面構成部材内のメンテナンス作業の効率が向上する。
【００３０】
＜請求項８の発明＞
請求項８の弾球遊技機では、遊技媒体投入部に投入された遊技媒体は、前面構成部材と開閉板とによって囲まれた空間内の遊技媒体通路を通って、本体枠側に案内される。
【００３１】
＜請求項９の発明＞
請求項９の弾球遊技機では、２つの通路構成部材の間の隙間で、遊技媒体が詰まったときには、一方の通路構成部材を回動操作することで、その遊技媒体を排除することができる。また、排除処理後は、遊技媒体通路構成付勢手段によって両通路構成部材が重ね合わされた状態に保持される。
【００３２】
＜請求項１０の発明＞
請求項１０の構成では、一方の通路構成部材を透明又は半透明な部材で構成したので、遊技媒体が詰まっているか否かを容易に確認することができる。
【００３３】
＜請求項１１の発明＞
請求項１１の弾球遊技機では、前面構成部材の前面に設けた押圧操作部の押圧操作により、一方の通路構成部材が回動するから、前面構成部材を開かずに遊技媒体の詰まりを解消することができる。
【００３４】
＜請求項１２の発明＞
請求項１２の弾球遊技機では、前面構成部材と開閉板とによって囲まれた空間内に設けた遊技媒体検出手段によって、遊技媒体投入部に投入された遊技媒体を検出することができる。
【００３５】
＜請求項１３の発明＞
請求項１３の弾球遊技機では、遊技媒体投入部に遊技媒体を投入するだけではなく、遊技媒体検出手段による遊技媒体の検出がなければ遊技球が発射できないので、不正な遊技媒体が投入されても、遊技媒体検出手段によって検出されなければ、遊技を行うことができない。これにより、不正に遊技が行われるのを防止することができる。
【００３６】
＜請求項１４の発明＞
請求項１４の弾球遊技機では、前面構成部材と開閉板とによって囲まれた空間内に設けた発光手段を点灯又は点滅することで、前面構成部材の少なくとも一部を構成する透光部材を通した光演出を行うことができる。
【００３７】
＜請求項１５の発明＞
請求項１５の弾球遊技機では、前面構成部材と開閉板とによって囲まれた空間内が透視可能であるので、その空間内の遊技球や遊技媒体の動きに興味を抱かせることができる。
【００３８】
＜請求項１６の発明＞
請求項１６の弾球遊技機では、前面構成部材と開閉板とによって囲まれた空間内に収容した音声発声手段から音声を発声して、音声による演出を行うことができる。
【００３９】
＜請求項１７の発明＞
請求項１７の弾球遊技機では、配給経路と発射駆動部とを連絡する球供給路を開閉板の前面側に配したことで、前面構成部材と開閉板とによって囲まれた空間を有効利用が図られる。
【００４０】
＜請求項１８の発明＞
請求項１８の弾球遊技機では、球供給路を構成するベース体とカバー体のうちカバー体を回動操作して開くことができるので、球供給路に遊技球が詰まっても容易に対処することができる。
【００４１】
【発明の実施の形態】
＜第１実施形態＞
以下、本発明を適用したコイン投入式パチンコ遊技機に係る第１実施形態を、図１〜図１６に基づいて説明する。本実施形態のコイン投入式パチンコ遊技機は、図１に示した枠体８０に遊技機本体８１を組み付けてなる。
【００４２】
遊技機本体８１には、図２に示した遊技盤１１が備えられ、その遊技盤１１の前面を、枠体８０に備えた前面枠９５越しに見ることができる。遊技盤１１の前面には、図２に示すように、ガイドレール１２に囲まれたほぼ円形の遊技領域Ｒ１が備えられ、その遊技領域Ｒ１のほぼ中央部には、液晶表示装置１３が設けられている。遊技領域Ｒ１のうち液晶表示装置１３の下方には、始動入賞口１４、大入賞口１５及び外れ球受け入れ口１６が上から順に間隔を開けて並べて設けられている。また、遊技領域Ｒ１のうち液晶表示装置１３、及び始動入賞口１４等を挟んだ左右の両側には、上から順に、ランプ風車１７、始動ゲート１８及び風車１９、一般入賞口２０，２１が設けられている。これら各入賞口１４，１５，２０，２１及び始動ゲート１８には、遊技球の入賞又は通過を検出するための遊技球検出スイッチが内蔵されている。
【００４３】
なお、ガイドレール１２に沿った両側部には、円弧状のサイドランプ２２，２２が設けられている。また、各入賞口等の役物以外に、遊技領域Ｒ１には、図示しない複数の釘が起立している。
【００４４】
前記した始動入賞口１４は、その両側に設けた可動翼片１４Ｃ，１４Ｃにて、通常は遊技球が１つだけ入賞可能となるように規制されている。そして、後述する普通図柄表示領域２４の停止表示が奇数になると、遊技盤１１の裏に設けたソレノイド（図示せず）が駆動されて、可動翼片１４Ｃ，１４Ｃが所定期間に亘って横に倒され、下側の開口への入賞を許容した状態になる。
【００４５】
大入賞口１５は、横長に形成されて、常には可動扉１５Ｔにて閉塞されている。そして、遊技が「大当たり状態」になると、遊技盤１１の裏に設けたソレノイド（図示せず）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。
【００４６】
液晶表示装置１３は、装飾枠２３の内側部分を遊技盤１１より陥没させて、その奥部にＴＦＴ−ＬＣＤモジュールを備えてなる。
【００４７】
液晶表示装置１３には、３つの特別図柄が横並びに表示されている（図示せず）。各特別図柄は、それぞれ例えば「０」〜「１１」の１２種類の数字体で構成されており、通常は、各特別図柄ごとに所定の種類のものが停止表示されている。そして、前記始動入賞口１４に遊技球が入賞したときには、各特別図柄が、上下方向にスクロールして変動表示され、所定時間後に、例えば、左、右、中の順に各特別図柄が停止表示される。このとき、これら特別図柄が、例えば、ぞろ目になったか否かにより、遊技の当たり外れが判定される。
【００４８】
液晶表示装置のうち、特別図柄の表示領域の左下隅には、普通図柄表示領域２４が設けられている。この普通図柄表示領域２４は、始動ゲート１８内に設けた遊技球検出スイッチが遊技球の通過を検出したときに、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。
【００４９】
遊技機本体８１の構成は、以上のようである。次に、遊技機本体８１が着脱可能に取り付けられている枠体８０について説明する。
【００５０】
図１に示すように、枠体８０は、外枠８２に対して本体枠９０を回動可能に備えてなる。外枠８２は、４つの木製の長板を縦長矩形状に接合してなり、外枠８２の一方の側辺に備えたヒンジ９２を中心にして本体枠９０が回動可能に組み付けられている。本体枠９０のうち、ヒンジ９２を備えた側と反対側の側辺には、本体枠９０をヒンジ９２を中心として外枠８２に対して回動させるための開錠装置１２０が設けられている。
【００５１】
なお、外枠８２のうちヒンジ９２を備えた側の外側面には、プリペードカードユニット１５０が取り付けられる。
【００５２】
本体枠９０の前面には、前面枠９５が設けられている。前面枠９５は、外枠８２と本体枠９０とを結合するヒンジ９２と同じ側にヒンジ９５Ｈを備え、本体枠９０に対して回動する。そして、前面枠９５の後面にガラス板９５Ｇが保持されて、遊技機の前面側からガラス板９５Ｇを通して遊技盤１１が見えるようになっている。
【００５３】
図１に示すように、本体枠９０のうち前面枠９５の下方には、横長の開閉板９７が、前面枠９５と同じ側で、本体枠９０に対して回動可能に取り付けられている。開閉板９７の下方には、コイン受け皿２７が備えられている。そして、遊技を行った場合の賞品としてのコイン（本発明の「遊技媒体」の相当する）が、コイン受け皿２７に払い出される。コイン受け皿２７の右側方には、操作ノブ２８が設けられ、この操作ノブ２８を操作することで、遊技球が遊技盤１１に向けて弾き出される。また、遊技の進行状況に応じて、装飾ランプ２６による光演出や後述するスピーカ５９Ｓ（本発明の「音声発生手段」に相当する）による音声演出が行われる。
【００５４】
開閉板９７の前面９７Ｆには、前面構成部材１００が取り付けられている。前面構成部材１００は、図４に示すように一面が開放した横長の容器状をなしており、図３に示すように常にはその開放口が開閉板９７に宛がわれた状態になっている。前面構成部材１００の上面のうち、前面構成部材１００に向かって右寄り部分にはコイン等を置くことが可能なトレイ１００Ｔが設けられ、左寄り部分にはコインを投入するためのコイン投入部１０１（本発明の「遊技媒体投入部」に相当する）が設けられている。
【００５５】
前面構成部材１００の下端部の２箇所には、蝶番で構成された本発明に係るヒンジ部３０，３０が設けられており、これらヒンジ部３０，３０を中心にして前面構成部材１００が開閉板９７に対して回動可能となっている。これにより、従来に比べて前面構成部材１００と開閉板９７とを容易に開放することができるようになっている。なお、本実施形態のヒンジ部３０は、蝶番で構成されているが、本発明に係るヒンジ部は、開閉板９７と前面構成部材１００とを回動可能に連結するものであれば蝶番以外のものであってもよい。即ち、ヒンジ部を軸体と筒体とで構成したり、可撓性部材で構成してもよい。
【００５６】
前面構成部材１００は、その下端面１００Ｄが本体枠９０に設けられたコイン受け皿２７と対面する位置まで開くことができる。ここで、本発明では、前面構成部材１００の下端面１００Ｄは、開閉板９７から離れるに従って上方へ向かうように傾斜している（図７を参照）。これにより、下端面が水平になっているものに比べて、コイン受け皿２７との干渉部分が少なくなり、前面構成部材１００を大きく開くことができ、前面構成部材１００内のメンテナンス作業が行い易くなっている。
【００５７】
図４に示すように、前面構成部材１００の開口縁１００Ａのうち、上辺の左右端部寄りの位置からは、本発明の閉鎖状態保持手段としての係止突片３１，３１が延設されている。係止突片３１の先端部は、円弧状に湾曲すると共に先端に向かって薄肉となっている。さらに係止突片３１の中央部には、ロック孔３２（本発明の「ロック部」及び「閉鎖状態保持手段」に相当する）が貫通形成されている。
【００５８】
一方、開閉板９７は、図４に示すように帯板状をなし、周縁部が開閉板９７の後面９７Ｒ側に折り返されている。開閉板９７の上辺寄りの２箇所には、前面構成部材１００の係止突片３１，３１が突入する横長形状の突入孔３３，３３（本発明の「閉鎖状態保持手段」に相当する）が貫通形成されている。
【００５９】
図８に示すように、開閉板９７の後面９７Ｒのうち、突入孔３３の下方には、上下に貫通した筒体４３が備えられている。筒体４３には、Ｌ字状をなしたロック棒４０（本発明の「ロック部」及び「閉鎖状態保持手段」に相当する）の長棹部４０Ｌが挿入されており、これによってロック棒４０は、開閉板９７の後面９７Ｒに上下にスライド可能に保持されている。筒体４３の側方には、筒体と平行にコイルばね４１（本発明の「弾性部材」に相当する）が備えられており、その上端部が後面９７Ｒに係止されている。コイルばね４１の下端部は、ロック棒４０の長棹部４０Ｌに対して９０度折れ曲がった短棹部４０Ｓ（本発明の「ロック解除操作部」に相当する）に連結されている。これによりロック棒４０は、常に上方へ付勢されると共に、短棹部４０Ｓが開閉板９７の後面９７Ｒ側に寝かされるように付勢されている。
【００６０】
さて、前面構成部材１００と開閉板９７とは、常には前面構成部材１００の開口縁１００Ａが開閉板９７の前面９７Ｆに突き当てられた閉鎖状態（図７（Ａ）の状態）に保持されている。即ち、図８（Ａ）及び図９（Ａ）に示すように、前面構成部材１００の係止突片３１が開閉板９７の突入孔３３に突入した状態で、開閉板９７の後面９７Ｒ側に位置したロック孔３２にロック棒４０が嵌合されて、係止突片３１を閂状態にして抜け止めしている。
【００６１】
ここで、ロック棒４０は常に上方に付勢されているので、係止突片３１が突入孔３３に突入された状態であれば、ロック棒４０は常にロック孔３２に嵌合される。従って、ロック棒４０をロック孔３２に挿入し忘れることがない。
【００６２】
開閉板９７と前面構成部材１００とを閉鎖状態から開放状態（図７（Ｂ）の状態）とする場合には、ロック棒４０を操作して、係止突片３１のロック孔３２とロック棒４０との嵌合状態を解除する。即ち、ロック棒４０の短棹部４０Ｓをつまんでコイルばね４１の付勢力に抗して下方へ押し下げ、ロック棒４０を下方へスライドさせて、ロック棒４０の長棹部４０Ｌをロック孔３２から引き抜く（図８（Ｂ）参照）。すると、係止突片３１が突入孔３３から抜き取り可能な状態となる。この状態で、前面構成部材１００をヒンジ部３０を中心として前側に倒せば（図９（Ｂ）参照）、前面構成部材１００と開閉板９７とが開放状態となる。ここで、ヒンジ部３０は、前面構成部材１００の下端部に設けられているので、重力によって前面構成部材１００が開いた状態が保持される。これにより、前面構成部材の内部のメンテナンスが行い易くなっている。また、ロック棒４０は、開閉板９７の後面９７Ｒ側に備えられているので、開閉板９７と本体枠９０とを開放状態としなければ操作することができず、例えば、パチンコホールの管理者等の開閉板９７を開放することを許可された者だけが、前面構成部材１００を開放することができるようになっている。
【００６３】
なお、短棹部４０Ｓを開閉板９７の後面９７Ｒに対して起こした状態とすれば、短棹部４０Ｓがつまみ易くなり、ロック棒４０の操作が行い易くなる。また、操作した後は、ロック棒４０の短棹部４０Ｓから手を離せば、コイルばね４１の付勢力によってロック棒４０の短棹部４０Ｓが開閉板９７から起きた状態から寝た状態に戻される。これによりロック棒４０の短棹部４０Ｓが開閉板９７の後面９７Ｒから起きたままになって、邪魔になるのを防ぐことができる。
【００６４】
前述したように、開閉板９７は、前面枠９５と同じ側で本体枠９０に対して回動可能に取り付けられている。具体的には、図１０に示すように、開閉板９７の後面９７Ｒの右上端部には、上下に貫通した上筒部５０が形成されており、本体枠９０に備えた回動軸９０Ｈが挿通されている。また、開閉板９７の後面９７Ｒの右下端部には、前述したロック棒４０と同じ構成の下部回動軸５１が備えられ、その先端部が本体枠９０に形成された軸受孔９８に挿入されている。これにより、開閉板９７が、回動軸９０Ｈ及び下部回動軸５１を中心として回動可能となっている。
【００６５】
下部回動軸５１は、ロック棒４０と同様にＬ字形状をなし、その長棹部５１Ｌは、上筒部５０の下方に設けられて上下に貫通した下筒部５２に挿通されている。これにより、下部回動軸５１が上下方向にスライド可能となっている。下筒部５２の側方には、下端部を開閉板９７の後面９７Ｒに係止したコイルばね５３が備えられ、コイルばね５３の上端部は、下部回動軸５１の長棹部５１Ｌから９０度折れ曲がった短棹部５１Ｓに連結されている。これにより下部回動軸５１は下方に付勢されると共に、下部回動軸５１の短棹部５１Ｓが開閉板９７の後面９７Ｒ側に寝かされた状態に付勢されている。
【００６６】
さて、本体枠９０に取り付けられた開閉板９７を本体枠９０から取り外す場合には、まず、下部回動軸５１の短棹部５１Ｓをつまんで下部回動軸５１をコイルばね５３の付勢力に抗して上方へスライドさせる。これにより、長棹部５１Ｌが本体枠９０の軸受孔９８から引き抜かれて、開閉板９７の下端部と本体枠９０の下端部との係合が解除される。次いで、開閉板９７を本体枠９０の前方へずらしながら下方へ移動させる。すると上筒部５０と回動軸９０Ｈとの係合が解除されて、本体枠９０から開閉板９７が取り外される。なお、前述したロック棒４０と同様に、短棹部５１Ｓから手を離すと、下部回動軸５１がコイルばね５３の付勢力によって下方へスライドされてから、短棹部５１Ｓが開閉板９７の後面９７側に寝かされる。これにより下部回動軸５１の短棹部５１Ｓが、開閉板９７の後面９７Ｒから起立したままとなって、邪魔になることを防ぐことができる。
【００６７】
次に、開閉板９７に備えられた各部位について説明する。図４に示すように、開閉板９７には、球入口３５（本発明の「第２の開口」に相当する）と球出口３６（本発明の「第１の開口」に相当する）とが貫通形成されている。球入口３５は、遊技球供給装置から延びた遊技球の配給経路の末端に対応した位置に形成され、横長形状に開口している。一方、球出口３６は、開閉板９７の裏側に設けられた発射装置（本発明の「発射手段」に相当する）の発射駆動部に対応した位置に形成され、遊技球が１つだけ通過可能な大きさに開口している。また、球出口３６は、球入口３５よりも下方の位置に形成されている。
【００６８】
開閉板９７の前面９７Ｆには、上述した球入口３５と球出口３６とを連絡した球供給路６０が設けられている。球供給路６０は、球入口３５から開閉板９７の前面９７Ｆ側に進入した遊技球が、前面９７Ｆに沿って下方に転がって、球出口３６に向かうように構成されている。このように球供給路６０を開閉板９７の前面９７Ｆに設けることで、前面構成部材１００と開閉板９７とによって囲まれた空間が有効利用されている。
【００６９】
図６に示すように、球供給路６０は、透明なベース体６１に透明なカバー体６２を組み付けてなる。より詳細には、図１１に示すように、カバー体６２の下端部には３つのヒンジ部６３が設けられ、カバー体６２は、このヒンジ部６３を中心にしてベース体６１に対して回動可能となっている。
【００７０】
ベース体６１は、全体として横長形状をなしている。ベース体６１の中央部分には横長の開口部６５が形成されている。ベース体６１の左側端部には、開閉板９７の裏側（図１３における上側）に延びた入球路８８が形成されている。そしてベース体６１は、入球路８８が球入口３５に対応しかつ開口部６５の右側端部が球出口３６に連絡するように開閉板９７に組み付けられている。
【００７１】
開口部６５の周縁には、フランジ部６１Ｆが形成され、フランジ部６１Ｆの複数箇所には、開閉板９７の前面９７Ｆ側に向かって立ち上がった雌螺子部６４が形成されている（図６参照）。そして、ベース体６１は、開閉板９７の後面９７Ｒ側から挿入されたボルトと、この雌螺子部６４とが螺合することで開閉板９７に固定されている。
【００７２】
図１２に示すように、開口部６５の下縁部には、開閉板９７の前面９７Ｆに対して直立した突条６６が形成されている。また、開口部６５の上縁部には、突条６６と同様に開閉板９７の前面９７Ｆに対して直立し、かつ前記突条６６よりも開閉板９７の前面９７Ｆ側へ張り出した上壁６７が形成されている。
【００７３】
一方、カバー体６２は、ベース体６１の開口部６５の形状に対応した横長の帯板状をなしている。カバー体６２の下縁部には、開閉板９７側に向かって張り出した突条６８が設けられ、前述したベース体６１の突条６６と対向している。また、カバー体６２の下端部からは、前述したヒンジ部６３が垂下されており、ベース体６１の下端部に設けられた軸受部６１Ｈと係合している。
【００７４】
図１１に示すように、カバー体６２の上辺の左右端部には、上方に向かって立ち上がった係止片６９（本発明の「カバー係止機構」に相当する）が備えられている。そして常には、この係止片６９とベース体６１のフランジ部６１Ｆから起立形成された係止爪７０（本発明の「カバー係止機構」に相当する）とが係止されて、球供給路６０が閉鎖状態に保持されている。ここで、球供給路６０が閉鎖状態時には、カバー体６２の上辺がベース体６１の上壁６７の先端部に突き当てられ、カバー体６２の突条６６とベース体６１の突条６８とが隙間を空けて対向する。そして、遊技球は、この２つの突条６６，６８の間に形成された隙間の上を転がって移動する。また、隙間を設けることによって、隙間からごみや埃等が落ちるので、球供給路６０の内部にごみや埃が溜まって遊技球の流れに支障をきたすことを防止できる。
【００７５】
なお、開閉板９７の一方の側辺には、縦長の配線孔８６が貫通形成されている。そして、開閉板９７と前面構成部材１００とで囲まれた空間に収容された後述するスピーカ５９Ｓ、ＬＥＤ７７及びコイン検出センサ８９に接続された複数のハーネスが、この配線孔８６より開閉板９７の裏側へ通されている。
【００７６】
次に前面構成部材１００に備えられた各部位について説明する。図３に示すように、前面構成部材１００の上面に備えたコイン投入部１０１は、前面構成部材１００の前側から奥側に向かって形成された切り欠き部１０２の奥部に、下方に向かってコインの厚さよりやや幅広に開口したスリット１０３を備えてなる。切り欠き部１０２は、コインの外形に対応して円弧状をなしており（図５を参照）、奥側に向かうに従って若干上方に傾斜している。スリット１０３は、鉛直方向に対して斜め奥側に向かって開口している。これにより遊技者は、複数のコインを重ねて切欠き部１０２にセットし、それら重ねたコインを切欠き部１０２の奥側に押し付けることで、スリット１０３から１枚ずつ連続的にコインを投入することができる。
【００７７】
さて、図４に示すように、前面構成部材１００の内側で、コイン投入部１０１の下方には、コイン投入部１０１から投入されたコインを本体枠９０側に案内するコイン通路盤７１（本発明の「遊技媒体通路」に相当する）が設けられている。コイン通路盤７１は、コイン１枚が通過できるだけの隙間を有して重ねられたコイン通路ベース体７２（本発明の「通路構成部材」に相当する）とコイン通路カバー体７３（本発明の「通路構成部材」に相当する）とからなる。ここで、コイン通路盤７１は、容易に開放することが可能な前面構成部材１００と開閉板９７とで囲まれた空間内に設けられているので、メンテナンス作業がしやすくなっている。
【００７８】
図１４に示すように、コイン通路ベース体７２及びコイン通路カバー体７３は共に板状をなしている。そして、前面構成部材１００に組み付けられたコイン通路ベース体７２上に、コイン通路カバー体７３が回動軸７８を中心にして回動可能に組み付けられている。コイン通路カバー体７３は、回動軸７８に巻回された付勢ばね７４（本発明の「遊技媒体通路構成付勢手段」に相当する）によってコイン通路ベース体７２に重ね合わせた状態に付勢されている（図１６（Ａ）の状態）。ここで、本実施形態において、コイン通路ベース体７２及びコイン通路カバー体７３は、例えば透明な部材で構成されており、コイン通路盤７１の内部が透視できるようになっている。
【００７９】
コイン通路盤７１のうち、コイン投入部１０１のスリット１０３の真下位置には、コイン入口７５が形成されており、スリット１０３から投入されたコインは、コイン入口７５からコイン通路盤７１の内部に進入する。
【００８０】
図１６に示すように、コイン通路ベース体７２のうち、コイン通路カバー体７３側を向いた面には、案内突条７２Ｒが形成され、コイン入口７５から斜め下方に向かって延びている（図１５を参照）。また、コイン通路カバー体７３のうちにコイン通路ベース体７２に対向する面には、案内突条７３Ｒが形成されている。案内突条７３Ｒは、案内突条７２Ｒとの間に一定の間隔Ｈを有しつつコイン入口７５から斜め下方に向かって延びている（図１５を参照）。これら２つの案内突条７２Ｒ，７３Ｒの間隔Ｈは、コインの直径Ｈ´とほぼ同じとなっており、コインは、これら２つの案内突条７２Ｒ，７３Ｒの間を転がって、コイン通路盤７１のコイン出口７９へ案内される。コイン通路盤７１のコイン出口７９寄り位置には、コイン検出センサ８９（本発明の「遊技媒体検出手段」に相当する）が備えられており、このコイン検出センサ８９によってコインが検出されると、例えば２０個の遊技球が発射装置に供給される。また、コイン通路ベース体７２のうち、２つの案内突条７２Ｒ，７３Ｒで挟まれた部分には、コインの直径Ｈ´よりも幅狭な落下孔７６が貫通形成されており、正規のコインよりも径の小さい不正なコインは、この落下孔７６からコイン通路盤７１の外部へ排出される。これにより、不正なコインは、コイン検出センサ８９によって検出されず、不正なコインによって遊技球が発射装置に供給されるのが防止されている。
【００８１】
ところで、前面構成部材１００のうち、コイン投入部１０１の下方には、押圧操作部１０４（図５を参照）が設けられている。押圧操作部１０４には、コイン通路カバー体７３に向かって延びたピン１０５が取り付けられている。そして押圧操作部１０４が押圧操作されると、ピン１０５がコイン通路カバー体７３を開閉板９７側（図１５における紙面手前側）に押し上げる。これにより、コイン通路カバー体７３が回動軸７８を中心にして回動し、コイン通路盤７１が下方に開放した状態（図１６（Ｂ）の状態）となって、コイン通路盤７１の内部で詰まっていたコインがコイン通路盤７１の外側へ排出される。
【００８２】
図４に示すように、前面構成部材１００の内側のうち、コイン通路盤７１を挟んだ左右両側には、前面構成部材１００の前方に向けて配設された１対のスピーカ５９Ｓ，５９Ｓが備えられている。前面構成部材１００の前面のうちスピーカ５９Ｓに対向した部分には、複数のパンチ孔８７（図２を参照）が形成されている。また、前面構成部材１００の内側で、図２における右側のスピーカ５９Ｓとコイン投入部１０１との間には、複数のＬＥＤ７７（本発明の「発光手段」に相当する）が前面構成部材１００の前方（図２における紙面手前側）に向かって並んで配設されている。そして、このＬＥＤ７７が点灯すると、前面構成部材１００の前面の一部と下端面１００Ｄとを構成した透光性部材を通して、ＬＥＤ７７の光が前方に照射されるという光演出が行われる。なお、前面構成部材１００を透明な部材で構成して、前面構成部材１００と開閉板９７との間の空間を透視可能な構成としてもよい。このようにすれば、ＬＥＤ７７による光演出に加えて、球供給路６０を通過する遊技球や、コイン通路盤７１を通過するコインの動きに興味を抱かせることができる。
【００８３】
なお、本実施形態において、係止突片３１、ロック孔３２、突入孔３３及びロック棒４０が閉鎖状態保持手段に相当するので、これらは本発明の「係合部」及び「被係合部」に相当する。
【００８４】
次に本実施形態の作用及び効果について説明する。
遊技を開始する場合には、前面構成部材１００のコイン投入部１０１からコインを投入する。すると、コインの投入数に応じて、遊技機内部に備えた遊技球供給装置から遊技球が発射装置に供給される。そして、操作ノブ２８を操作すると発射装置の発射駆動部によって遊技球が遊技盤１１上に向かって弾き出されて、遊技が行われる。
【００８５】
ここで、コイン投入部１０１から投入されたコインは、前面構成部材１００の内側に設けられたコイン通路盤７１の内部を通って開閉板９７の出口孔９９から本体枠９０側に案内され回収される。コインがコイン通路盤７１を通過する途中でコイン検出センサ８９によって検出されると、１枚のコインに対して遊技球供給装置から２０球の遊技球が発射装置に供給される。
【００８６】
このとき、遊技球供給装置から放出された遊技球は、遊技盤１１の裏側に設けられた配給経路を経由して開閉板９７の球入口３５から開閉板９７の前面９７Ｆ側に進入する。開閉板９７の前面９７Ｆ側に進入した遊技球は、開閉板９７の前面９７Ｆに設けられた球供給路６０を通って開閉板９７の球出口３６に向かって転がる。そして開閉板９７の球出口３６から再び開閉板９７の後面９７Ｒ側に案内されて、発射装置の発射駆動部へと向かう。
【００８７】
ところで、コイン通路盤７１の途中でコインが詰まった場合には、前面構成部材１００に設けられた押圧操作部１０４を押圧する。すると、押圧操作部１０４に連結されたピン１０５がコイン通路カバー体７３を開閉板９７側（図１５における紙面手前側）に押し上げる。これにより、コイン通路盤７１が下方に開放した状態（図１６（Ｂ）の状態）となって、コイン通路盤７１の内部で詰まっていたコインがコイン通路盤７１の外側へ排出される。このように、押圧操作部１０４の押圧操作により、前面構成部材１００と開閉板９７とを開放状態とすることなくコインの詰まりを解消することができる。
【００８８】
さて、押圧操作部１０４の操作によってもコイン通路盤７１のコイン詰まりが解消されない場合や、球供給路６０に遊技球が詰まった場合には、前面構成部材１００を開閉板９７に対して開放状態として対処する。
【００８９】
具体的には、まず開錠装置１２０を操作して本体枠９０を外枠８２に対して回動し、本体枠９０の裏側に備えられたロックを解除して開閉板９７を本体枠９０に対して回動させる。次いで、開閉板９７の後面９７Ｒに設けられた２つのロック棒４０の短棹部４０Ｓをつまんで下方にスライドし、係止突片３１のロック孔３２からそれぞれロック棒４０を引き抜く。すると、係止突片３１を突入孔３３から引き抜くことが可能となり、前面構成部材１００をヒンジ部３０を中心にして前側に回動させて前面構成部材１００と開閉板９７とを開放状態とする。
【００９０】
コイン通路盤７１の内部でコインが詰まった場合には、コイン通路盤７１のうちのコイン通路カバー体７３の下端部を持って、回動軸７８を中心にして持ち上げるように回動させる。すると、コイン通路盤７１が下方に開放した状態となり、コイン通路盤７１の内部に詰まっていたコインが、コイン通路盤７１の外部に排出される。このようにコイン通路盤７１の詰まりを容易に解消することができる。また、コイン詰まりが解消された後、コイン通路カバー体７３を持っていた手を離せば、付勢ばね７４によってコイン通路カバー体７３が再びコイン通路ベース体７２に重ね合わされた状態となる。このように、コイン通路カバー体７３が常にコイン通路ベース体７２に重ねあわされるように付勢されているので、コイン通路盤７１が開放状態のままにされることがない。また、コイン通路カバー体７３が透明部材で構成されているので、コイン通路盤７１の内部でコインが詰まっているのか否かを容易に確認することができる。
【００９１】
球供給路６０内部で遊技球が詰まった場合には、ベース体６１の係止爪７０を上方に押し上げて、カバー体６２の係止片６９との係止状態を解除し、カバー体６２をヒンジ部６３を中心として手前側に倒す。すると、球供給路６０が開放状態となって、球供給路６０内部に詰まった遊技球を容易に取り除くことが可能となる。ここで、カバー体６２は透明部材で構成されているので、球供給路６０の内部で遊技球が詰まっているか否かを容易に確認することができる。
【００９２】
このように、本実施形態によれば、前面構成部材１００が開閉板９７にヒンジ部３０を中心にして回動可能に備えられたので、従来に比べて容易に前面構成部材１００を開くことができる。これにより、前面構成部材１００と開閉板９７とで囲まれた空間に配設されたコイン通路盤７１や球供給路６０で不具合が生じた場合や、スピーカ５９Ｓ、ＬＥＤ７７等のメンテナンスを行う場合に、迅速に対処することが可能になる。また、前面構成部材１００の下端部にヒンジ部３０を設けたので、前面構成部材１００が重力によって開放状態に維持される。これにより、コイン通路盤７１等の前面構成部材１００と開閉板９７とで囲まれた空間の内部に備えられた各種部材のメンテナンス作業等の効率が向上する。さらに、前面構成部材１００の下端面が開閉板９７から離れるに従って上方に傾斜しているので、下端面が水平なものに比べてコイン受け皿２７との干渉部分が小さくなり、前面開放部材を大きく開くことができる。これにより前面構成部材１００と開閉板９７とで囲まれた空間の内部に備えた各種部材のメンテナンス作業がしやすくなる。また、ロック棒４０と係止突片３１とが開閉板９７の後面９７Ｒ側で係合されているので、開閉板９７を開くことが許可された者だけが、前面構成部材１００を開くことが可能になる。また、コイン通路盤７１は、コイン通路カバー体７３を回動することで開放状態とすることができる。このため、コイン通路盤７１内部にコインが詰まった場合でも、詰まったコインを容易に取り出すことができる。さらに、球供給路６０もコイン通路盤７１と同様に、カバー体６２を回動操作することで開放状態とすることができる。このため、球供給路６０内部に遊技球が詰まった場合でも、詰まった遊技球を容易に取り出すことができる。
【００９３】
＜第２実施形態＞
図１７及び図１８に基づいて本発明の第２実施形態を示す。
この第２実施形態は、下部回動軸の取り付け構造を上記第１実施形態とは異なる構成としたものである。その他の構成については上記第１実施形態と同じであるため、同じ構成については、同一符号を付し、重複する説明は省略する。
【００９４】
開閉板９７には、図１７に示すように操作窓９６が貫通形成されている。この操作窓９６には、下部回動軸９１の短棹部９１Ｓが挿通され、先端部のつまみ９１Ｔ（本発明の「ロック解除操作部」に相当する）が開閉板９７の後面９７Ｒ側に突き出ている。一方、下部回動軸９１の長棹部９１Ｌは、開閉板９７の前面９７Ｆ側で、開閉板９７と前面構成部材１００とで囲まれた空間に収容されている。
【００９５】
図１８に示すように、開閉板９７の前面９７Ｆからは、上下一対の案内片９３，９３が起立しており、その中央部には上下に貫通した案内孔が設けられている。そして、下部回動軸９１の長棹部９１Ｌがこの案内孔に挿通されて、下部回動軸９１が上下にスライド可能となっている。
【００９６】
開閉板９７の後面９７Ｒには、コイルばね５３が備えられている。コイルばね５３の下端部は開閉板９７の後面９７Ｒに形成されたフック９４に係止されると共に、上端部は下部回動軸９１の短棹部９１Ｓに係止されている。このため、下部回動軸９１は下方に向かって付勢され、常には本体枠９０に形成された軸受孔９８に長棹部９１Ｌの先端部が嵌合されている（図１８（Ａ）の状態）。
【００９７】
下部回動軸９１による開閉板９７と本体枠９０との係合を解除する場合には、下部回動軸９１のうち、開閉板９７の後面９７Ｒ側に突き出たつまみ９１Ｔを持って、下部回動軸９１を上方へスライドさせる。すると長棹部９１Ｌの先端部が軸受孔９８から引き抜かれて、下部回動軸９１と軸受孔９８との嵌合が解除され（図１８（Ｂ）の状態）、下部回動軸による開閉板９７と本体枠９０との係合が解除される。
【００９８】
本実施形態によれば、下部回動軸９１のつまみ９１Ｔが常に開閉板９７の後面９７Ｒに対して突き出ているので、下部回動軸９１の操作が行いやすい。また、下部回動軸９１のうち、つまみ９１Ｔ以外の部分は、開閉板９７と前面構成部材１００とで囲まれた空間に収容されているので、下部回動軸９１が邪魔になることがない。
【００９９】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態においては、弾球遊技機の一例として遊技媒体にコインを用いたコイン投入式パチンコ遊技機を例示したが、本発明はこれに限られず、コイン以外の遊技媒体を用いた他の遊技媒体式弾球遊技機に適用してもよい。
【０１００】
（２）上記第１実施形態では、コイン通路ベース体７２及びコイン通路カバー体７３を、透明な部材で構成していたが、コイン通路盤７１の内部が確認できればよく、コイン通路カバー体７３のみを透明な部材で構成してもよい。また、コイン通路盤７１の内部が確認できる程度の半透明の部材で構成してもよい。
【０１０１】
（３）上記第１実施形態では、前面構成部材１００の下端部にヒンジ部３０を備えていたが、前面構成部材１００の上端部に備えていてもよい。このような構成としても、前面構成部材１００と開閉板９７とを容易に開放状態とすることができ、前面構成部材１００と開閉板９７とで囲まれた空間の内部のメンテナンスを迅速に行うことができる。さらには、前面構成部材１００の左側部又は右側部にヒンジ部３０を備えた場合でも、同様な効果が得られる。
【０１０２】
（４）上記第１実施形態では、係止突片３１のロック孔３２にロック棒４０を嵌合して前面構成部材１００と開閉板９７とを閉鎖状態に保持していたが、例えば、前面構成部材１００の上端部とこれに対向した開閉板９７の上端部とに磁石を備えて、磁力によってこれら前面構成部材１００と開閉板９７とを閉鎖状態に保持するようにしてもよい。
【図面の簡単な説明】
【図１】本発明の一実施形態に係る弾球遊技機の斜視図
【図２】弾球遊技機の正面図
【図３】閉鎖状態における前面構成部材と開閉板の斜視図
【図４】開放状態における前面構成部材と開閉板の斜視図
【図５】閉鎖状態における前面構成部材と開閉板の正面図
【図６】開放状態における前面構成部材と開閉板の正面図
【図７】（Ａ）閉鎖状態における前面構成部材と開閉板の側面図
（Ｂ）開放状態における前面構成部材と開閉板の側面図
【図８】（Ａ）閉鎖状態における開閉板の背面図
（Ｂ）開放状態における開閉板の背面図
【図９】（Ａ）閉鎖状態における前面構成部材と開閉板の側面図
（Ｂ）開放状態における前面構成部材と開閉板の側面図
【図１０】開閉板の背面図
【図１１】球供給路の正面図
【図１２】図１１のＡ−Ａ切断面における側断面図
【図１３】球供給路の平面図
【図１４】コイン通路盤の斜視図
【図１５】コイン通路盤の正面図
【図１６】（Ａ）閉鎖状態におけるコイン通路盤の側断面図
（Ｂ）開放状態におけるコイン通路盤の側断面図
【図１７】第２実施形態における開閉板の背面図
【図１８】（Ａ）下部回動軸が嵌合状態時の開閉板の側断面図
（Ｂ）下部回動軸が嵌合状態解除時の開閉板の側断面図
【符号の説明】
１１…遊技盤
３０…ヒンジ部
３１…係止突片
３２…ロック孔
３３…突入孔
３５…球入口（第２の開口）
３６…球出口（第１の開口）
４０…ロック棒
４０Ｓ…短棹部（ロック解除操作部）
４１…コイルばね（弾性部材）
５９Ｓ…スピーカ（音声発生手段）
６０…球供給路
６１…ベース体
６２…カバー体
６９…係止片（カバー係止機構）
７０…係止爪（カバー係止機構）
７１…コイン通路盤（遊技媒体通路）
７２…コイン通路ベース体（通路構成部材）
７３…コイン通路カバー体（通路構成部材）
７４…付勢ばね（遊技媒体通路構成付勢手段）
７７…ＬＥＤ（発光手段）
９０…本体枠
９７…開閉板
１００…前面構成部材
１０１…コイン投入部（遊技媒体投入部）
１０４…押圧操作部
【図１】
2004081272.tif 000003
【図２】
2004081272.tif 000004
【図３】
2004081272.tif 000005
【図４】
2004081272.tif 000006
【図５】
2004081272.tif 000007
【図６】
2004081272.tif 000008
【図７】
2004081272.tif 000009
【図８】
2004081272.tif 000010
【図９】
2004081272.tif 000011
【図１０】
2004081272.tif 000012
【図１１】
2004081272.tif 000013
【図１２】
2004081272.tif 000014
【図１３】
2004081272.tif 000015
【図１４】
2004081272.tif 000016
【図１５】
2004081272.tif 000017
【図１６】
2004081272.tif 000018
【図１７】
2004081272.tif 000019
【図１８】
2004081272.tif 000020